(57)【要約】【課題】  本発明は、より詳細且つ多量な情報を盛り込むことが可能で、用途に応じて貼り分けることができる分割ラベルを提供することを目的とする。【解決手段】  上記課題を解決するため、本発明の分割ラベルでは、  ラベル基材の裏面に粘着層を備えるとともに、当該ラベル基材は複数の領域から構成され、識別対象である個体に貼付した状態で第一領域から隣接する第二領域をその境界にて分割することが可能な分割ラベルであって、  前記個体の識別情報を記憶したＩＣチップと、当該ＩＣチップに接続され、外部機器との間で前記識別情報の送受信を行う送受信部と、を有するＩＤタグが、前記第一領域及び前記第二領域の一方若しくはそれぞれの裏面に設置されてなることを特徴とする。【選択図】        図１
2005258350.tif 000002
【特許請求の範囲】
【請求項１】
ラベル基材の裏面に粘着層を備えるとともに、当該ラベル基材は複数の領域から構成され、識別対象である個体に貼付した状態で第一領域から隣接する第二領域をその境界にて分割することが可能な分割ラベルであって、
前記個体の識別情報を記憶したＩＣチップと、当該ＩＣチップに接続され、外部機器との間で前記識別情報の送受信を行う送受信部と、を有するＩＤタグが、前記第一領域及び前記第二領域の一方若しくはそれぞれの裏面に設置されてなることを特徴とする分割ラベル。
【請求項２】
前記ＩＤタグは、前記送受信部がアンテナにて構成され、外部機器との間で非接触通信により前記識別情報を送受信可能な非接触型ＩＤタグであることを特徴とする請求項１に記載の分割ラベル。
【請求項３】
前記ＩＤタグは、前記送受信部が前記ラベル基材の表面に露出した接触用端子にて構成され、外部機器との間で接触通信により前記識別情報を送受信可能な接触型ＩＤタグであることを特徴とする請求項１に記載の分割ラベル。
【請求項４】
前記ＩＤタグは、前記ＩＣチップ及び前記送受信部を支持するため、これらと一体的に形成された支持シートを有することを特徴とする請求項１ないし３のいずれか１項に記載の分割ラベル。
【請求項５】
前記支持シートは、透明、又は前記ラベル基材の裏面と対向する面とは反対側の面が当該ラベル基材の裏面と同色にて構成されてなることを特徴とする請求項４に記載の分割ラベル。
【請求項６】
前記送受信部は、前記ラベル基材の裏面と対向する面とは反対側の面が、当該ラベル基材の裏面と同色にて構成されてなることを特徴とする請求項１または５に記載の分割ラベル。
【請求項７】
前記ラベル基材の裏面上に、当該裏面全体を覆う前記粘着層と、前記ＩＤタグと、当該ＩＤタグを少なくとも覆う被覆粘着層と、がこの順に形成されてなることを特徴とする請求項１ないし６のいずれか１項に記載の分割ラベル。
【請求項８】
前記ラベル基材の裏面上に、当該裏面に直接形成された前記ＩＤタグと、当該裏面全体を前記ＩＤタグとともに覆う前記粘着層と、がこの順に形成されてなることを特徴とする請求項１ないし６のいずれか１項に記載の分割ラベル。
【発明の詳細な説明】
【技術分野】
【０００１】
本発明は、分割ラベルに関する。
【背景技術】
【０００２】
従来より、複数の片に分割可能に構成され、それぞれを用途に応じて貼り分けることができる分割ラベルが知られている。このような分割ラベルは、医療物品等の用途に用いられることが多い。例えば、薬液用のアンプルやバイアルでは、その胴部にラベルにて所定の事項を表示することが義務付けられている。かかるラベルにおいて、副片を設け、ここに胴部（主片）に表示された所定の事項と同様の情報を記入しておき、その後、その副片を主片から分割して注射器やカルテなどに別途貼付することで、薬液の誤投与、カルテの記録ミス等の医療ミスの抑制に貢献している。また、現在は、製造番号、使用期限などの情報を、バーコード、２次元コードといったアナログコードを表示ラベルに印字することで設け、製品の生産管理、またその流通管理を行っている。
【０００３】
【特許文献１】特開２０００−１３２１０４号公報
【特許文献２】実開平７−２２６９５号公報
【特許文献３】実用新案登録  第２５４８３２７号
【発明の開示】
【発明が解決しようとする課題】
【０００４】
近年、ラベルにおいて、より詳細な情報を盛り込むことが求められてきている。しかしながら、貼付される側の形状や大きさによりその表示面積を増加させることは困難である。
【０００５】
本発明は、上記課題を鑑みてなされたものであり、より詳細且つ多量な情報を盛り込むことが可能で、用途に応じて貼り分けることができる分割ラベルを提供することを目的とする。
【課題を解決するための手段・発明の効果】
【０００６】
上記課題を解決するため、本発明の分割ラベルでは、
ラベル基材の裏面に粘着層を備えるとともに、当該ラベル基材は複数の領域から構成され、識別対象である個体に貼付した状態で第一領域から隣接する第二領域をその境界にて分割することが可能な分割ラベルであって、
前記個体の識別情報を記憶したＩＣチップと、当該ＩＣチップに接続され、外部機器との間で前記識別情報の送受信を行う送受信部と、を有するＩＤタグが、前記第一領域及び前記第二領域の一方若しくはそれぞれの裏面に設置されてなることを特徴とする。
【０００７】
上記本発明によると、分割ラベルの第一領域及び第二領域の一方若しくはそれぞれの裏面に、個体の識別情報を大量に記憶可能で、且つ読取りが容易なＩＤタグを設置することで、より詳細且つ多量な情報（例えば、使用方法等の情報）を盛り込みつつ、それぞれの領域を用途に応じて貼り分けることを可能としている。
【発明を実施するための最良の形態】
【０００８】
以下、本発明の実施の形態を図に基づいて説明する。なお、以下において、薬液用のアンプル等の容器を貼付対象（識別対象）とした説明を行うが、対象はこれに限られることはない。図１及び２に示すのは、本発明の分割ラベル１０が容器Ａに貼付された図である。分割ラベル１０は、ラベル基材１の表面１ａを情報表示面とし、粘着層２を有する裏面１ｂを接着面としている。詳しくは、ラベル基材１は、第一領域１１と第二領域１２とを有し、その境界には切取線１ｃが設けられて分割可能に構成されている。また、表面１ａでは、第一領域１１と第二領域１２のそれぞれに、容器Ａ内の薬液の情報（例えば、製品名、製品情報、製造ロット、使用期限等）が表示されている。分割ラベル１０は、第一領域１１と第二領域１２とが一体の状態で容器Ａに貼付されており、容器Ａ内の薬液が取出される際に、第二領域１２が切取線１ｃにて切り離されて注射器やカルテ等に別途貼付される。なお、本実施形態では、ラベル基材１は２つの領域から構成されているが、第一領域と第二領域とが分割可能であれば領域の数は特には限定されない。なお、図１及び２では、領域の分割に関する説明のため、第二領域１２が容器Ａに貼付されていない図を用いているが、第二領域１２は、分割前において容器Ａに貼付されていてもよく、分割と同時に容器Ａから剥離し、他の対象（注射器やカルテ等）に再度貼付するように構成することができる。この際、粘着層２は、一度貼付しても剥離可能で、且つ剥離後も再貼付可能な再剥離性のものを適宜選択し得る。
【０００９】
ラベル基材１における第一領域１１及び第二領域１２の配置形態は、例えば、図１に示すようにこれらの境界（切取線１ｃ）が容器Ａの軸線方向に沿うように配置したものや、図２に示すようにこれらの境界（切取線１ｃ）が容器Ａの円周方向に沿うように配置したもの等がある。また、領域の分割を行いやすいよう、領域の外縁を延長させたツマミ部を設けることも可能である。なお、粘着物が分割を行う人の手に付着しないよう、ツマミ部の裏面には、粘着層を形成しないか若しくは粘着層を被覆する皮膜を形成することができる。また、当該皮膜の形成は、例えば、粘着層上に印刷を施すことで実現できる。同様に、このような皮膜を用いることで、ツマミ部に限らず裏面の一部に接着力を有しない部位を設けることが可能である。
【００１０】
また、第一領域１１及び第二領域１２の一方若しくはそれぞれには、以下に説明するＩＤタグが設置されている。図４若しくは図１０に示すように、ＩＤタグ３，５は、容器内の薬液の識別情報（ＩＤ）を記憶したＩＣチップ３１と、当該ＩＣチップ３１に接続され、外部機器（外部の読取器Ｒ：図３参照）との間で識別情報（ＩＤ）の送受信を行う送受信部３２，５２と、を有する。このようなＩＤタグ３，５を用いることで、より詳細な情報を分割ラベル１０に持たせることが可能となる。
【００１１】
（非接触型ＩＤタグについて）
ＩＤタグは、図４及び５に示すような、上記送受信部がアンテナ３２にて構成され、外部機器（外部の読取器Ｒ：図３参照）との間で非接触通信により識別情報（ＩＤ）を送受信可能な非接触型ＩＤタグ３とすることができる。詳しくは、ＩＤタグ３は、ＩＣチップ３１及びアンテナ（送受信部）３２を支持するため、これらと一体的に形成された支持シート３３を有している。アンテナ３２は、平面的なコイルとして構成するため、図５に示すように、支持シート３３の一方の主面で渦巻状に形成されるとともに、他方の主面にて渦巻の中心から外側へ向かって配線が引出されており、これらの両端がＩＤチップ３１のそれぞれの端子に接続されている。また、アンテナ３２は、特定な周波数の電磁波を受信可能な所定の長さとされている。すなわち、非接触型ＩＤタグ３は、アンテナ３２により特定の周波数の電磁波を受信し、誘導磁束による誘起電圧を利用することで交信可能となる電磁誘導方式を用いている。
【００１２】
非接触型ＩＤタグ３と読取器Ｒとの通信は、具体的には、データキャリア方式に従い、読取器Ｒから特定の周波数の電磁波がＩＤタグ３に向けて発信されると、アンテナ３２を介してＩＣチップ３１でその電波が受信される。それに基づき発電回路が起動して所定の発電がなされ、これを電源として発信回路が作動する。発振回路はメモリに記憶されているその容器Ａ内の薬液に関する識別情報（ＩＤ）を読み出し、これを電波によりアンテナ３２から読取器Ｒ側へ出力（発信）する。読取器Ｒがその電波による識別情報を受け取り、これを認識する。そして、認識された識別情報は、例えば、読取器ＲのディスプレイＤに表示される（図３参照）。また、読取器Ｒからの更新情報もアンテナ３２を介してＩＣチップ３１へ送信され、ＩＣチップ３１の記憶情報の更新がされるようになっている。なお、本実施形態では、ＩＣチップ３１は、外部からの電源供給により作動する受動型のチップで構成されているが、電池を内蔵した能動型のチップを用いることも可能である。
【００１３】
（接触型ＩＤタグについて）
また、ＩＤタグは、図１０に示すような、上記送受信部がラベル基材１の表面１ａに露出した接触用端子５１にて構成され、外部機器（外部の読取器Ｒ：図示せず）との間で接触通信により識別情報（ＩＤ）を送受信可能な接触型ＩＣタグ５とすることもできる。すなわち、読取器Ｒ側の端子を当該接触用端子５１に接触させることで、ＩＣチップ３１へ電力供給を行い、それと同時に識別情報（ＩＤ）を読取る。電力供給を行った後のＩＣチップ３１の動作は、上記と同様である。なお、接触型ＩＤタグ５は、アンテナを配す必要がなく、非接触型ＩＤタグ３と比べて面積が小さいため、例えば、切取り側（第二領域１２）の設置領域が小さなものに対しても好適に用いることができる。
【００１４】
以上のＩＤタグ３，５は、例えば、図４及び図１０に示すように設置することができる。すなわち、ラベル基材１の裏面１ｂ上に、当該裏面１ｂ全体を覆う粘着層２と、ＩＤタグ３，５と、当該ＩＤタグ３，５を少なくとも覆う被覆粘着層４と、がこの順に形成された構造とすることができる。ＩＤタグ３，５の面積が大きいと、粘着層２が露出する部分が減少し、容器Ａ（被着体）に対する接着力が十分に得られない場合があるが、このような構造とすることで、ラベル基材１の裏面１ｂ全体が粘着層で覆われることになり、ラベルとしての十分な接着力を得ることができる。
【００１５】
送受信部（アンテナ３２）は、例えば、導線にて構成することもできるし、若しくは導電性インキをパターン印刷したものにて構成することもできる。さらに、送受信部（アンテナ３２）は、ラベル基材１の裏面１ｂと対向する面とは反対側の面（図４では被覆粘着層４に覆われる面）が、当該ラベル基材１の裏面１ｂと同色にて構成することができる。例えば、透明な容器の場合、ラベル基材１の裏面１ｂに設置されたアンテナ３２が貼付部位の裏側から容器Ａを通して視認されてしまうので、外観上好ましくない。そこで、アンテナ３２の裏面１ｂと対向する面とは反対側の面を裏面１ｂと同色とすることで、アンテナ３２を目立たせないようにすることができる。なお、送受信部（アンテナ３２）は、ラベル基材１の裏面１ｂと対向する面とは反対側の面が、ラベル基材１の裏面１ｂと同色であれば足り、その他の部分の色については特には限定されない。
【００１６】
支持シート３３としては、ポリエチレン（ＰＥ）、ポリプロピレン（ＰＰ）、ポリエチレンテレフタレート（ＰＥＴ）などのフィルム基材や、上質紙、合成紙などの紙基材を用いることができる。また、上記のごとく、支持シート３３が貼付部位の裏側から容器Ａを通して視認されないように、支持シート３３は、透明、又はラベル基材１の裏面１ｂと対向する面とは反対側の面が当該ラベル基材１の裏面１ｂと同色にて構成することができる。なお、支持シート３３は、ラベル基材１の裏面１ｂと対向する面とは反対側の面が、ラベル基材１の裏面１ｂと同色であれば足り、その他の部分の色については特には限定されない。
【００１７】
他方、ＩＤタグ３，５は、例えば、図１１に示すように設置することもできる。すなわち、ラベル基材１の裏面１ｂ上に、当該裏面１ｂに直接形成されたＩＤタグ３，５と、当該裏面１ｂ全体をＩＤタグ３，５とともに覆う粘着層２と、がこの順に形成された構造とすることができる。この構造は、例えば、ラベル基材１の裏面１ｂ上に、導電性インキによりアンテナ３２をパターン印刷し、ＩＣチップ３１を実装することでＩＤタグ３を形成した後、裏面１ｂ全体を粘着層２によりＩＤタグ３ごと覆うことで実現できる。
【００１８】
上述のように、ＩＤタグ３，５は、ラベル基材１の第一領域１１及び第二領域１２の一方若しくはそれぞれ付されている。以下、それぞれの設置形態について説明する。
第一の形態は、図７に示すように、容器Ａに貼付される側の第一領域１１にＩＤタグ３が付された形態である。例えば、廃棄後に使用した個数やその品名を再度確認する必要が生じた場合、一本一本取出して確認する必要はなく、リーダーを当てることで、非接触で確認ができる。そのため、薬液等で汚染された容器に触れる必要もなく、安全に確認できる。
第二の形態は、図８に示すように、容器Ａに貼付された第一領域１１から切り離される第二領域１２にＩＤタグ３が付された形態である。この場合、薬液の取出し後に注射器等に貼付したり、薬液の投与後にカルテに貼付したりと、薬液が使用される先でＩＤタグ３に記録されたより詳細且つ多量な情報を参照・保存させておくことが可能となる。
第三の形態は、図９に示すように、容器Ａに貼付される側の第一領域１１及びそれから切り離される第二領域１２のそれぞれにＩＤタグ３が付された形態である。この場合、第一及び第二の形態の双方の利点が得られることになる。
なお、図では、ＩＤタグ３を非接触型のものとしているが、これに限らず、上記の接触型ＩＤタグであってもよい。また、第三の形態では、一方を非接触型ＩＤタグ、他方を接触型ＩＤタグとすることもできる。例えば、小径の容器に貼付けされるラベルの場合、切り離される側の第二領域１２は、表示面積の関係で、切り取り後アンプルに残る第一領域１１と比較して小さく形成されることが多いので、第二領域１２側に接触型ＩＤタグを設置することが好ましい。
【図面の簡単な説明】
【００１９】
【図１】本発明に係る分割ラベルを対象物に貼付した状態を表す概略図
【図２】図１の分割ラベルの変形例を表す図
【図３】外部機器により識別情報を読取る際の状態を表す概略図
【図４】非接触型ＩＤタグを設置した分割ラベルの断面構造を表す模式図
【図５】非接触型ＩＤタグの構造を表す模式図
【図６】図１の分割ラベルを裏側から見た図
【図７】ＩＤタグの第一の設置形態を表す図
【図８】ＩＤタグの第二の設置形態を表す図
【図９】ＩＤタグの第三の設置形態を表す図
【図１０】接触型ＩＤタグを設置した分割ラベルの断面構造を表す模式図
【図１１】非接触型ＩＤタグを設置した分割ラベルの断面構造を表す模式図
【符号の説明】
【００２０】
１    ラベル基材
１１  第一領域
１２  第二領域
１ａ  表面
１ｂ  裏面
１Ｃ  切取線
２    粘着層
３    非接触型ＩＤタグ
３１  ＩＣチップ
３２  アンテナ
３３  支持シート
４    被覆粘着層
５    接触型ＩＤタグ
５１  接触用端子
１０，２０，３０    分割ラベル
【図１】
2005258350.tif 000003
【図２】
2005258350.tif 000004
【図３】
2005258350.tif 000005
【図４】
2005258350.tif 000006
【図５】
2005258350.tif 000007
【図６】
2005258350.tif 000008
【図７】
2005258350.tif 000009
【図８】
2005258350.tif 000010
【図９】
2005258350.tif 000011
【図１０】
2005258350.tif 000012
【図１１】
2005258350.tif 000013